(57)【要約】【課題】  卓上カレンダーセットにおいて、簡易な構成として製造・組立容易とするとともに取り扱いやすいものとし、加えてカレンダー表面がカレンダー掛止手段で覆われる部分を最小限として外観の優れたものとする。【解決手段】  複数枚のカレンダー紙葉４１ａ〜４１ｌからなる卓上カレンダー４Ａと、カレンダー掛止手段が配設された掛止板３Ａおよび支持脚２１ａ，２１ｂを有し卓上カレンダー４Ａをその前面に掛止して傾斜状態で支持する一枚の硬質薄板からなるカレンダーホルダ２Ａとを具えた卓上カレンダーセット１Ａにおいて、カレンダー掛止手段を引き起こされることで掛止板３Ａ前面に片持ち状に突出して卓上カレンダー４Ａの周縁部を掛止する複数の鈎状掛止片２６，２７，２８，２９からなるものとした。【選択図】      図２
2005053098.tif 000002
【特許請求の範囲】
【請求項１】
複数枚のカレンダー紙葉からなる卓上カレンダーと、カレンダー掛止手段が配設された掛止板および支持脚を有し前記卓上カレンダーをその前面に掛止して傾斜状態で支持する一枚の硬質薄板からなるカレンダーホルダとを具えた卓上カレンダーセットにおいて
前記カレンダー掛止手段が、引き起こされることで前記掛止板の表面に片持ち状に突出し前記卓上カレンダーの周縁部を掛止する複数の鈎状掛止片からなることを特徴とする、
卓上カレンダーセット。
【請求項２】
前記鈎状掛止片はほぼＬ字状であって基端の折り線から横方向へ延びる基端部とそれより縦方向へ延びる先端部とからなり、前記掛止板の下端縁部および上端縁部に設けられて前記卓上カレンダーの上下端面を前記基端部で挟むとともに前面上下端縁部を前記先端部で押さえるものとされている請求項１に記載の卓上カレンダーセット。
【請求項３】
前記鈎状掛止片が前記掛止板の下端縁部に少なくとも２個設けられ上端縁部に少なくとも１個設けられている請求項２に記載の卓上カレンダーセット。
【請求項４】
前記卓上カレンダーの複数枚のカレンダー紙葉は１年間を月別に表示したものであって、易破断線からなる折り目で互いに端縁が接続されて前記易破断線に沿いジグザグに折り畳まれる長尺の１枚の紙葉とされて折り畳んだ状態で前記掛止板に掛止され、最前面の前記カレンダー紙葉を前記易破断線から切断して、表示するカレンダーを交換するものとされている請求項１、２または３に記載の卓上カレンダーセット。
【請求項５】
前記易破断線がマイクロミシン処理によって作られたミシン目である請求項４に記載の卓上カレンダーセット。
【発明の詳細な説明】
【技術分野】
【０００１】
本発明は、卓上カレンダーおよびこれを支持するカレンダーホルダを具えた卓上カレンダーセットに関し、殊に一枚の硬質薄板から形成され掛止板および支持脚を有するカレンダーホルダと、その前面に掛止されてカレンダーを表示する複数のカレンダー紙葉からなる卓上カレンダーとを具えた卓上カレンダーセットに関する。
【背景技術】
【０００２】
卓上カレンダーセットとして、例えば実開昭６２−１７５９５９号公報に記載されているように、複数のカレンダー紙葉からなる卓上カレンダーと、この卓上カレンダーを端縁の掛止縁で掛止してこれを支持するプラスチック製の掛止板およびこの掛止板を傾斜状態に支える紙製の支持脚を有するカレンダーホルダとを具えたものや、特開２００１−２６０５６６号公報に記載されているように、紙製の掛止板にカレンダー紙葉の上端縁および下端縁を差し掛けするための一対の切り込みを設けたカレンダーホルダを用いたものが知られている。
【０００３】
これら従来品におけるカレンダーホルダの多くは、カレンダー紙葉の上下端縁または左右両側縁と下端縁を差し込む溝状の掛止部によってカレンダー紙葉を保持するようにしており、掛止部はカレンダー紙葉の上下端縁、左右側縁のほぼ全長を差し込むような掛止片からなる。カレンダー紙葉は周知のように１枚に１ヶ月の暦を表示するのが普通であって表紙を含め最大１３枚で構成され、月順に重ねて掛止部に差し込み保持される。そして、１ヶ月が経過したときそのカレンダー紙葉を外して廃棄するかまたは最下層の裏側に差し込んで保持することにより、次の月の暦を最前面に表出させる。
【０００４】
従って、最前面のカレンダー紙葉の交換は、その左右または上方向からこれをスライドさせることで行っている。しかし、掛止部の掛止片は掛止板に対し鋭角に傾斜した状態でカレンダー紙葉の上下または左右の端縁を挟んで掛止するものであり、カレンダー紙葉をスライドさせるときに摩擦抵抗が大きいとともにスライド距離が長く、紙製で湾曲しやすいカレンダー紙葉を交換するのは容易ではなく、また時間も要する。
【０００５】
一方、交換方式を左右または上下のスライドではなく、カレンダー紙葉を上下または左右の端縁から挟んで力をかけて湾曲させ、その幅を小さくして掛止板の前方から差し抜きして直接交換することも可能である。しかし、これではカレンダー紙葉を取り外す際、掛止片が前述したような幅を有してカレンダー紙葉の上下または左右の端縁を覆うことから、これを上下または左右から指で掴みにくいため取り外すのが容易ではない。そして、複数枚のカレンダー紙葉を重ねて厚みのある状態でカレンダーホルダに掛止させる場合、掛止部の掛止片が閉じる方向に復元弾性を有するため前方側のカレンダー紙葉が上下または左右の端縁を圧迫されて前方に湾曲することもある。さらに、卓上カレンダーはデザイン性や外観の良さが特に重要とされるところ、大きな幅を有する掛止片は、カレンダー表面のかなりの部分を覆って外観を大きく損ねてしまう、という問題もある。
【０００６】
さらに、カード状のカレンダー紙葉の片面あるいは両面にそれぞれ１ヶ月分の暦が印刷され別体をなすカレンダー紙葉が集合してなる卓上カレンダーにおいては、落丁を生じたり、使用中に紛失したりすることもあり、さらに、重ねられたカレンダー紙葉の順番が乱れた場合にそれを修正する必要も生じて、取扱が面倒となる場合が多い。
【特許文献１】実開昭６２−１７５９５９号公報
【特許文献２】特開２００１−２６０５６６号公報
【発明の開示】
【発明が解決しようとする課題】
【０００７】
本発明は、上記のような問題点を解決しようとするものであり、卓上カレンダーセットにおいて、簡易な構成として製造・組立容易にするとともに取り扱いやすいものとし、さらにカレンダー表面がカレンダー掛止手段で覆われる部分を最小限として外観の優れたものとすることを課題とする。さらにカレンダー紙葉について落丁・乱丁・紛失の心配がないものとすることを課題とする。
【課題を解決するための手段】
【０００８】
そこで、本発明は、複数枚のカレンダー紙葉からなる卓上カレンダーと、カレンダー掛止手段が配設された掛止板および支持脚を有し卓上カレンダーをその前面に掛止して傾斜状態で支持する一枚の硬質薄板からなるカレンダーホルダとを具えた卓上カレンダーセットにおいて、カレンダー掛止手段を、引き起こすことでこれが掛止板の表面に片持ち状に突出して卓上カレンダーの周縁部を掛止する複数の鈎状掛止片からなるものとした。
【０００９】
このことにより、支持脚およびカレンダー掛止手段が掛止板と一体に形成されるため構成が簡単となって製造容易となり、掛止板から鈎状掛止片を引き起こすことで卓上カレンダー掛止手段が容易に形成されるため、組立作業も容易となる。そして、この鈎状掛止片は掛止板から複数突出された状態で卓上カレンダーの周縁部を複数個所で掛止するものであるから、卓上カレンダーの上下または左右の端縁を手で掴んで湾曲させればこれを掛止板の前方から差し抜き交換しやすくなるため、取り扱いが極めて容易である。加えて、この鈎状掛止片は小さくても比較的堅固に卓上カレンダーを掛止できるものであり、これが前方に突出される構成であるため、鈎状掛止片がカレンダー紙葉表面を覆う面積を極めて小さくすることすることができる。そして、この鈎状掛止片は複数のカレンダー紙葉からなる卓上カレンダーの厚さに応じて引き起こし角度を調整することで、掛止部分の幅が調整できるため、卓上カレンダー端縁部に密着させてこれを安定して掛止しやすいものとなる。
【００１０】
また、前述した卓上カレンダーセットの鈎状掛止片をほぼＬ字状をなして基端の折り線から横方向へ延びる基端部とそれより縦方向へ延びる先端部とからなり、掛止板の下端縁部および上端縁部に設けられて卓上カレンダーの上下端面を基端部で挟むとともにその前面の上下端縁部を先端部で押さえるものとする。このことにより、卓上カレンダーの前面周縁を安定して掛止できるようになるとともに、掛止片が鈎状をなして前方に突出するためカレンダー表面のカレンダー掛止手段による遮蔽面積が最小限となって全体としても外観の優れたものとなる。
【００１１】
さらに、前述した卓上カレンダーセットの鈎状掛止片を、掛止板の下端縁部に少なくとも２個設け上端縁部に少なくとも１個設けるようにすれば、卓上カレンダーを安定的に掛止しながら、カレンダー表面を遮蔽する部分を最少とすることができる。
【００１２】
さらにまた、前述した卓上カレンダーの複数枚のカレンダー紙葉を、１年間を月別に表示され易破断線からなる折り目で互いに端縁が接続されて易破断線に沿ってジグザグに折り畳まれる長尺の１枚の紙葉として、折り畳んだ状態で掛止板に掛止され最前面のカレンダー紙葉を易破断線から切断して、表示するカレンダーを交換するものとすれば、カレンダー紙葉の乱丁・紛失の心配がないとともに、順番の狂いも生じないため、極めて取り扱いの容易なものとなる。そして、その易破断線をマイクロミシン処理によって作られたミシン目とすれば、切り離しがスムースになるとともに切断された端縁が整ったものとなる。
【発明の効果】
【００１３】
本発明によると、簡易な構成で製造・組立容易となるとともにカレンダー表示面の交換に手間を要さないため取り扱いが容易になり、またカレンダー表示面をカレンダー掛止手段が覆う部分が最小限となって極めて外観の優れたものとすることができるものである。さらに、１枚の長尺の紙葉に１年分の暦を印刷して易破断線に沿って折り畳む卓上カレンダーを用いた場合には、カレンダー紙葉の落丁・乱丁・紛失の問題がなくなってさらに取り扱い容易となる。
【発明を実施するための最良の形態】
【００１４】
図面を参照して本発明の実施の形態を説明すると、図１〜３は本発明の第１の実施の形態を示すものであり、図１は卓上カレンダーセット１Ａのカレンダーホルダ２Ａの組立前の状態を示す平面図を示し、図２は図１のカレンダーホルダ２Ａを組立てた後に卓上カレンダー４Ａを掛止させ卓上カレンダーセット１Ａを使用状態とした斜視図を示し、図３は図２のカレンダー掛止手段の拡大図を示している。尚、各図において実線は切断線を示し、破線は折り線用の筋入れを示している。
【００１５】
図１を参照して、カレンダーホルダ２Ａは一枚の硬質薄板を長方形に切り抜いて輪郭が作成され、掛止板３Ａと、その内側において半抜きおよび破線で表す筋入れにより形成され、それぞれ裏側へ折り曲げることにより立設される一対の支持脚２１ａ，２１ｂと、これらを立設位置で固定する固定板２２ａとを具えている。また、掛止板３Ａの上端縁部および下端縁部付近の左右対称位置に、表側に引き起こすことにより鈎の先端縁が上側または下側方向に向いて卓上カレンダーを掛止する鈎状掛止片２６、２７、２８、２９が半抜きにされて配置されている。
【００１６】
この支持脚２１ａおよび２１ｂを折り線２３ａ，２３ｃ，２３ｂ，２３ｄに沿って裏側へ直角に折り曲げ、次に固定板２２ａを折り線２５ａに沿って裏側へ折り曲げる。そして、折り線２３ａ，２３ｂに隣接して固定板２２ａの先端縁に形成した係合切り込み２２ｂ，２２ｃを折り線２５ａに隣接して支持脚２１ａ，２１ｂの前端縁に形成した掛止切り込み２１ｃ，２１ｄにそれぞれ嵌め込んで係合することにより支持脚２１ａ，２１ｂを互いに平行状態で直立固定する。尚、支持脚・固定板については、図面に示す形状に限らず、一枚の硬質薄板であるカレンダーホルダ２Ａの内側において所定形状で半抜きにして引き起こすものであればどのような形状のものであってもよい。また、硬質薄板として厚紙を用いた場合は廃棄処分が容易なものとなり、プラスチックや金属を用いた場合は鈎状掛止片に弾性をもたせることができるためカレンダー紙葉が少なくなってもこれを安定保持できるものとなる。
【００１７】
鈎状掛止片２６の拡大図を示す図３を参照して、鈎状掛止片２６は、ほぼＬ字状をなして破線で示す基端の折り線２６ｃから横方向に延びる基端部２６ａとそれより縦方向へ延びる先端部２６ｂとからなり、折り線２６ｃに沿って折り曲げて引き出すことにより片持ち状に斜めに突出させるようになっている。また、鈎状掛止片２７，２８，２９も同様の構成である。
【００１８】
図２を参照して、鈎状掛止片２６，２７，２８，２９をそれぞれ折り線２６ｃ，２７ｃ，２８ｃ，２９ｃに沿って折り曲げて引き出した状態において、下側の鈎状掛止片２８，２９は先端部が上向きとなり、上側の鈎状掛止片２６，２７は先端部が下向きとなる。これにより、複数のカレンダー紙葉の束からなり所定の厚みを有する卓上カレンダー４Ａの表面下端縁と下端面、および表面上端縁と上端面をしっかりと掛止しながら正面視で卓上カレンダーの表面を覆う部分を小さいものすることができる。また、鈎状掛止片２６，２７，２８，２９の各外側縁部の殆どが湾曲形状を呈して角部を有さないため、卓上カレンダー４Ａの表面を覆う部分をさらに小さいものとして外観を良好なものとしながら所定の強度を確保しており、また、これに触れても不快な触感を与えず傷つくことがないものとなっている。
【００１９】
卓上カレンダー４Ａは、例えば１ヶ月につき１枚、１年で合計１２枚のカレンダー紙葉４１ａ，４１ｂ，〜４１ｌから構成され、これらを順に重ねた状態でカレンダーホルダ２Ａの掛止板３Ａ上に掛止されて卓上で鉛直面からやや後方へ傾斜した状態で支持される。この卓上カレンダー４Ａを掛止板３Ａ上に装着するには、カレンダー紙葉４１ａ，４１ｂ〜４１ｌの束からなる卓上カレンダー４Ａの上下端縁を指で挟み、前方に湾曲させて掛止板３Ａ上の鈎状掛止片２６と２８および２７と２９とで形成される間隔より上下幅を小さくして、前方から差し込んで装着する。
【００２０】
これにより、従来技術のカレンダーホルダの掛止板において横または上から摩擦力に抗してスライド装着させる方式のものに比べ装着が極めて容易となる。また、月代わりごとに最前面のカレンダー紙葉を取り外して交換することも同様に容易である。本実施の形態では、最前面のカレンダー紙葉４１ａ（１月）をはずすことで、次の月（２月）のカレンダー紙葉４１ｂが最前面となって表面に露出する。尚、卓上カレンダーは各カレンダー紙葉の裏面に翌月のカレンダーを印刷してその両面を使用する構成としてもよいことはいうまでもない。尚、カレンダー紙葉４１ａ，４１ｂ，〜４１ｌの他に表紙の紙葉を加えた構成としてもよい。
【００２１】
図４，５は本発明の第２の実施の形態を示すものであり、掛止板の輪郭を漫画のキャラクターの形状とした卓上カレンダーセット１Ｂを示しており、図４はカレンダーホルダ２Ｂの組立前の状態を示す正面図であり、図５は組み立てたカレンダーホルダ２Ｂに卓上カレンダー４Ｂを装着して卓上カレンダーセット１Ｂを使用状態とした状態を示す斜視図である。カレンダーホルダ２Ｂも図１のカレンダーホルダ２Ａとほぼ同様の構成であるが、掛止板３Ｂの形状が異なることに加え支持脚２１ｃおよび固定板２２ｂの形状・構成が異なり、鈎状掛止片３０，３１，３２の配置数・配置位置が異なる。
【００２２】
掛止板３Ｂは、厚紙等の一枚の硬質薄板から漫画のキャラクターの輪郭で切り抜いたものであり、掛止板３Ｂの卓上カレンダーを掛止する面が略円形であるため、図５に示すように卓上カレンダー４Ｂも円形のものとしている。また、卓上カレンダー４Ｂを掛止する鈎状掛止片３０，３１，３２は掛止板３Ｂの下端縁部左右および上端縁部中央の合計３個所に配置されているが、各先端部が卓上カレンダー４Ｂの外周縁に対しほぼ直角に内側方向に向けられて、これを安定して掛止できるようになっている。尚、本実施の形態の取扱方法は、第１の実施の形態と同様である。
【００２３】
本発明におけるカレンダーホルダは、上述のように一枚の硬質薄板を抜き加工することで、その輪郭を比較的自由に形成させることができるため、様々なデザインの形状を選択して外観に特徴を与えることが容易である。尚、本実施の形態のような輪郭のみをデザイン化するだけでなく、掛止板の表面にその輪郭に対応した所望の印刷を施してさらにデザイン性の高いものとしてもよい。
【００２４】
図６，７は、本発明の卓上カレンダーセットにおける卓上カレンダーの異なる実施の形態を示すものであり、総てのカレンダー紙葉が互いに易破断線で破断可能に接続され、その易破断線でジグザグに折り曲げられた束としてカレンダーホルダに掛止されるものとした実施の形態を示している。図６（Ａ），（Ｂ）は、表紙の紙葉と６枚のカレンダー紙葉の表裏両面に月ごとのカレンダーを印刷したものからなる卓上カレンダー４Ｃを示し、図７（Ａ），（Ｂ）は、表紙の紙葉と１２枚のカレンダー紙葉において表裏交互に月ごとのカレンダーを印刷したものからなる卓上カレンダー４Ｄを示している。
【００２５】
図６（Ａ）は、卓上カレンダー４Ｃをジグザグに折り曲げる前の状態を示す正面図であり、（Ｂ）はその背面図である。表紙４３ａおよび各カレンダー紙葉４ｂ，４３ｃ・・・の境界の破線は易破断線４３を示すが、これは所謂マイクロミシン処理によるもので、ここで破断した場合の端縁が整って外観が優れたものとなるが、この易破断線４３に沿って交互に山折り谷折りを繰り返して重ねた状態で使用する。この卓上カレンダー４Ｃも、図２の卓上カレンダーセット１Ａと同様に掛止板に掛止され、その最前面の紙葉は表紙４３ａとなる。
【００２６】
表紙４３ａを取り外すと２枚目のカレンダー紙葉４３ｂが露出するが、その表面は１月のカレンダーとなる。そして、その裏面に２月のカレンダーが印刷されており、表面を２月のカレンダーにする場合はカレンダー紙葉４３ｂを易破断線４３から切り取り、裏返しにして掛止させて使用する。そして、３月のカレンダーにする場合はこのカレンダー紙葉４３ｂをはずして、３月のカレンダーが表面に印刷されたカレンダー紙葉４３ｃを最前面とする。この卓上カレンダー４Ｃは、カレンダー紙葉の両面を使用することから、その総枚数が表紙を除いて１年６枚ですむため少ない紙の量で実施できるとともに、掛止させる厚みを薄くすることができるため、鈎状掛止片をより小さくすることができる。
【００２７】
図７（Ａ）は、卓上カレンダー４Ｄの折り曲げ前の状態を示す正面図であり、（Ｂ）はその背面図である。この卓上カレンダー４Ｄも図６の卓上カレンダー４Ｃとほぼ同様の構成であるが、表紙４４ａを除くカレンダー紙葉を１２枚として交互に片面ずつ１ヶ月分の暦を印刷している点で異なる。この卓上カレンダー４Ｄにおいても翌月のカレンダーに交換する場合は最前面のカレンダー紙葉を易破断線４４から切断するが、切断して取り外すのみで翌月のカレンダー紙葉が最前面に現れる。尚、この卓上カレンダー４Ｄはカレンダー紙葉の片面のみ使用することから、その枚数が図６の卓上カレンダー４Ｃより多くなってその厚みが増すことになるが、表示する暦の交換作業はさらに容易なものとなる。
【００２８】
上述のように、両卓上カレンダー４Ｃ，４Ｄは総てのカレンダー紙葉が連結して一体となっているため落丁、乱丁や紛失の心配がなく、また、順番を整えて重ねる手間もかからないため、取扱いが極めて容易なものとなる。尚、表紙の紙葉については、１月の前に一体且つ切り取り可能に設けたものとしたが、別体としてもよい。
【図面の簡単な説明】
【００２９】
【図１】本発明の第１の実施の形態のカレンダーホルダの組立前の状態を示す正面図。
【図２】図１のカレンダーホルダを組立てて卓上カレンダーを装着した状態を示す斜視図。
【図３】図１のカレンダーホルダのカレンダー掛止手段の拡大図。
【図４】本発明の第２の実施の形態のカレンダーホルダの組立前の状態を示す正面図。
【図５】図４のカレンダーホルダを組立てて卓上カレンダーを装着した状態を示す斜視図。
【図６】（Ａ）は異なる実施の形態の卓上カレンダーの正面図、（Ｂ）は背面図。
【図７】（Ａ）はさらに異なる実施の形態の卓上カレンダーの正面図、（Ｂ）は背面図。
【符号の説明】
【００３０】
１Ａ，１Ｂ  卓上カレンダーセット、２Ａ，２Ｂ  カレンダーホルダ、３Ａ，３Ｂ  掛止板、４Ａ，４Ｂ，４Ｃ，４Ｄ  卓上カレンダー、２１ａ，２１ｂ，２１ｃ  支持脚、２１ｃ，２１ｄ  掛止切り込み、２２ａ，２２ｂ  固定板、２２ｂ，２２ｃ  係合切り込み、２３ａ，２３ｂ，２３ｃ，２３ｄ，２３ｅ，２５ｂ，  ２６ｃ，２７ｃ，２８ｃ，２９ｃ  折り線、２６，２７，２８，２９，３０，３１，３２  鈎状掛止片、２６ａ  基端部、２６ｂ  先端部、４１ａ，４１ｂ，４１ｌ，４２ａ，４２ｂ，４３ａ，４３ｂ，４３ｃ，４４ａ，４４ｂ，４４ｃ  カレンダー紙葉、４３，４４  易破断線
【図１】
2005053098.tif 000003
【図２】
2005053098.tif 000004
【図３】
2005053098.tif 000005
【図４】
2005053098.tif 000006
【図５】
2005053098.tif 000007
【図６】
2005053098.tif 000008
【図７】
2005053098.tif 000009